(57)【要約】【課題】ティッシュペーパーの箱やペットボトルが取り出し自由なポケット部を有するバッグを、上下逆さまにして、椅子の背もたれカバーとしても利用することを可能とする。【解決手段】バッグの外側の１つのポケット部に上下及び、側面に開閉が可能となるようファスナーなどの開閉可能とする器具８とファスナーの引き手９を取り付けることにより、ティッシュペーパーの箱１２などを収納可能なポケット部５を設けた。同様に、もう１つのポケット部に、上下の開閉が可能となるようファスナーなどの開閉可能とする器具８とファスナーの引き手９を取り付けることにより、ペットボトル１４程度の大きさのものを収納可能なポケット部６を設けた。これらのポケット部は、上下が逆転した場合でも利用可能となるので、バッグを逆さにして椅子の背もたれカバーとして、椅子の背もたれ部に被せて利用することを可能にした。【選択図】図3
2009039154.tif 000002
【特許請求の範囲】
【請求項１】
バッグとしての持ち運び及び、椅子の背もたれカバーとして、それぞれが本来もつ用途以外の違う用途の利用可能を特徴とするバッグ兼カバー。
【請求項２】
バッグまたは、椅子の背もたれカバーとして利用する際、バッグの外側に付随するポケット部がバッグの時も、カバーの時も、同じように物を入れることを可能としたポケット部を有することを特徴とするバッグ兼椅子の背もたれカバー。
【請求項３】
付随するポケット部の上部と下部に、それぞれファスナーなどの開閉を可能とした器具をポケット部に有することを特徴とするバッグ兼椅子の背もたれカバー。
【請求項４】
付随するポケット部の上部と下部及び、側面にそれぞれファスナーなどの開閉を可能とした器具をポケット部に有することを特徴とするバッグ兼椅子の背もたれカバー。
【請求項５】
バッグとして使用する際、付随するポケット部が内側にくるリバース状態において、ポケット部が外側にあるときと同様、ポケットとしての利用を可能とすることを特徴とするバッグ兼椅子の背もたれカバー。
【発明の詳細な説明】
【技術分野】
【０００１】
本発明は、上下逆さにしても利用可能なポケット部を有するバッグ兼椅子の背もたれカバーに関するものである。
【背景技術】
【０００２】
実用のバッグは、外出時に必用な物を事前に入れて持ち運ぶのに軽微で優れており、登録実用新案第３０８７６３６号のようにバッグをリバーシブルとして利用できるものもあり、利用方法だけでも社会生活に欠くことのできない物である。
【０００３】
また、実用の椅子の背もたれカバーは、背もたれ部の汚れ防止や、背もたれ部の摩耗を軽減させることを主目的として利用されており、実用上十分であった。
【０００４】
しかし、これら実用のバッグは、オフィスでのデスクワークを主とする職場などにおいては、バッグの置場がデスクから離れているロッカーか、ロッカーがなければデスク付近の本来置かない場所に置いたりしていた。
【０００５】
そして、仕事に必用な物以外はデスクに置かない、またはスペース的に置けないことから、私物的なものはバッグの置いてある場所、つまりロッカーにその都度取りに行かなければならない、という面倒な行動と、仕事のタイムロスを生じさせる、という欠点があった。
【０００６】
バッグに入れて持ってきた必用要な物を、仕事中すぐに取り出し使用できない、という欠点は仕事の効率や健康に関しても大きな障害である。具体的には、エコノミークラス症候群や熱中症、その他様々な病気の原因ともなる水分不足に対して、水分不足を解消する為の水分補給用のペットボトル飲料ですら、デスクに置けない状況があり、ついつい水分補給を怠ってしまう。また、花粉症や風邪で鼻水が頻繁にでる場合でも、ティッシュペーパーを箱ごとデスクに置くとスペースが狭くなり、仕事をしにくくするなど、バッグに必用なものを入れた状態で身近に置くことが出来ない、という問題があった。
【０００７】
この改善策として、バッグに必用な物を入れた状態で、デスクのスペースを取らず、座した状態で必用な物を取り出せる、という方法がある。図３はこの方法によるバッグの実装形態を示すための説明図であって、椅子の背もたれ部１０にバッグをカバーとして装着した斜視図である。図２で、１はバッグ兼背もたれカバー本体袋部、５は上下逆さにしても利用可能で側面開閉可能なポケット部、６は上下逆さにしても利用可能なポケット部、１０は椅子の背もたれ部、１１は椅子の座部である。
【特許文献１】登録実用新案第３０８７６３６号公報
【発明の開示】
【発明が解決しようとする課題】
【０００８】
解決しようとする問題点は、バッグを椅子の背もたれカバーとして、バッグの開口部を下向きにして椅子の背もたれ部に被せる場合、付随するバッグのポケット部の開口部も下に向く為、入れておく物が落ちてしまい、ポケット部に物を入れて利用することができない点である。
【０００９】
また、箱入りティッシュペーパーの箱をバッグに入れてティッシュペーパーを取り出す時など、ティッシュの箱をバッグから取り出し、箱をバッグに仕舞う、という不都合と、バッグ内が乱雑になりかねない、という不都合な点である。
【課題を解決するための手段】
【００１０】
本発明は、バッグのポケット部の上部と下部の部分に開閉自由となるような器具のファスナー８及び、ファスナーの引き手９を有すことにより、上下逆さにしても常に利用可能とし、ポケット側面からの物の出し入れも同様に、ポケット側面が開閉自由となるような器具のファスナー８及び、ファスナーの引き手９を有することにより可能とし、椅子の背もたれカバーとして、スペースを取らずに身近に置くことを可能にしたことを最も主要な特徴とする。
【発明の効果】
【００１１】
本発明のバッグ兼椅子の背もたれカバーは、付随するポケット部に物を入れてバッグとして利用した状態のまま、椅子の背もたれカバーとしても利用できるので、屋内外で常時必用な物をスペースを取らずに簡単に利用できるという利点がある。
【００１２】
特にオフィスなどで人目を気にせず、スペースをとらず、ティシュペーパーを箱のまま置いたり、ペットボトルドリンクなどを常時身近に置き利用できる為、エチケットや健康にも配慮できる。
【００１３】
また、買物袋として、オフィスなどの椅子の背もたれカバーとしてスペースを気にせず常時置き、必用時にバッグとして利用できるという利点がある。
【発明を実施するための最良の形態】
【００１４】
外出時に頻繁に利用する可能性の高いティシュペーパー（箱）やドリンク（ペットボトル）というエチケットや健康に対する収納しにくい形状の物をバッグに付随するポケット部とし、屋内でも同じ収納形態で、椅子の背もたれカバーとしてスペースを取らず、必用時に応じて利用できるという目的を、最少の部品点数と無駄の無い形状で実現した。
【実施例１】
【００１５】
図３は、本発明であるバッグ兼椅子の背もたれカバーを、椅子の背もたれカバーとして、バッグの開口部２を下側に向け、椅子の背もたれ部１０に被せた状態の斜視図であり、置くスペースを必用としない。
【００１６】
ポケット部５にはティッシュペーパーの箱１２が収納され、ティッシュペーパー１３を取り出しやすい状態に少し出しているので手間がかからない。
【００１７】
ポケット部６にはペットボトルドリンクが収納され、ペットボトル１４が取り出しやすい状態でポケット部６の上部が開いているので手間がかからない。
【実施例２】
【００１８】
図４は、本発明であるバッグ兼椅子の背もたれカバーを、バッグとして、バッグの開口部２を上側に向け、手に提げている状態の斜視図である。
【００１９】
ポケット部５にはティッシュペーパーの箱１２が収納された状態で上下、側面の開口部を閉じている。
【００２０】
ポケット部６にはペットボトルが収納された状態で上下の開口部を閉じている。
【実施例３】
【００２１】
図５は、本発明であるバッグ兼椅子の背もたれカバーを、リバーシブルバッグとして、ポケット部をバッグの内側にし手に提げている状態の斜視図であり、ポケット部を外部に見せないことから、外見がシンプルとなると同時に、ティッシュペーパー１２やペットボトル１４を常に取り出しやすいように開口部を開けた状態で人目を気にせず維持できる。
【産業上の利用可能性】
【００２２】
リバーシブルバッグにすることにより、バッグ外側全体が平坦となり、プリントデザインなどのオリジナリティを好む層での利用に大いに期待できる。
【００２３】
外出途中やオフィスなどで、人目を気にせず必要に応じてティッシュペーパーの利用やドリンク補給を可能としたポケット部を有し、椅子の背もたれにカバーとして常時身近に置けることから、エチケットや健康という観点に加え、エコロジーとしての必需品であるマイバッグとしての利用可能性もおおいに期待できる。
【図面の簡単な説明】
【００２４】
【図１】バッグ兼椅子の背もたれカバー開口部２を下向きにした状態の斜視図である。
【図２】バッグ兼椅子の背もたれカバー開口部２を上向きにした状態の斜視図である。
【図３】バッグ兼椅子の背もたれカバー開口部２を下向きにし、椅子の背もたれ部１０に被せ  た状態の斜視図である。（実施例１）
【図４】バッグ兼椅子の背もたれカバー開口部２を上向きにし、バッグとして手に提げている  状態の斜視図である。（実施例２）
【図５】バッグ兼椅子の背もたれカバーのポケット部を内側になるように、バッグ兼椅子の背もたれカバー本体袋部を裏返して手に提げている斜視図である。
【符号の説明】
【００２５】
１    バッグ兼椅子の背もたれカバー本体袋部
２    バッグ兼椅子の背もたれカバー開口部
３    バッグ兼椅子の背もたれカバー本体袋閉じ部
４    バッグ兼椅子の背もたれカバー本体側面部
５    上下逆さにしても利用可能で側面開閉可能なポケット部
６    上下逆さにしても利用可能なポケット部
７    バッグ兼椅子の背もたれカバーのバッグとしての取っ手部
８    ファスナーなどの開閉可能とする器具
９    ファスナーの引き手
１０    椅子の背もたれ部
１１    椅子の座部
１２    ティッシュペーパーの箱
１３    ティッシュペーパー
１４    ペットボトル
１５    人の手
【図１】
2009039154.tif 000003
【図２】
2009039154.tif 000004
【図３】
2009039154.tif 000005
【図４】
2009039154.tif 000006
【図５】
2009039154.tif 000007